(57)【要約】【課題】離れて見てもはっきり見えるような模様を形成することができるスダレ地の製法を提供する。【解決手段】ひご３の長手方向全体を一色Ａに着色して、一色ひご１を作製する。その後、一色ひご１の長手方向に沿って間欠的に他色Ｂを重ねて着色して二色ひご２を作製する。複数本の二色ひご２を織り糸４にて織る。二色ひご２を織り糸４にて織って、市松模様、長方形、矢絣等の模様Ｍを形成する。ひご３を一色Ａに着色する際、油性塗料、水性塗料又は染料にて着色する。一色ひご１を他色Ｂに着色する際、油性塗料、水性塗料又は染料にて着色する。【選択図】図１
2011254991.tif 000002
【特許請求の範囲】
【請求項１】
ひご（３）の長手方向全体を一色（Ａ）に着色して、一色ひご（１）を作製し、その後、上記一色ひご（１）の長手方向に沿って間欠的に他色（Ｂ）を重ねて着色して二色ひご（２）を作製し、複数本の該二色ひご（２）を織り糸（４）にて織ることを特徴とするスダレ地の製法。
【請求項２】
ひご（３）の長手方向全体を一色（Ａ）に着色して、一色ひご（１）を作製し、その後、上記一色ひご（１）の上から重ねてその長手方向に沿って間欠的に複数色（Ｚ）を着色して複色ひご（20）を作製し、複数本の該複色ひご（20）を織り糸（４）にて織ることを特徴とするスダレ地の製法。
【請求項３】
上記二色ひご（２）又は複色ひご（20）を上記織り糸（４）にて織って、市松模様、長方形、矢絣等の模様（Ｍ）を形成する請求項１又は２記載のスダレ地の製法。
【請求項４】
上記ひご（３）を一色（Ａ）に着色する際、油性塗料、水性塗料又は染料にて着色する請求項１，２又は３記載のスダレ地の製法。
【請求項５】
上記一色ひご（１）を他色（Ｂ）又は複数色（Ｚ）に着色する際、油性塗料、水性塗料又は染料にて着色する請求項１，２，３又は４記載のスダレ地の製法。
【請求項６】
上記一色ひご（１）の長手方向に間欠的に他色（Ｂ）又は複数色（Ｚ）を重ねて着色する際、スプレー、インクジェット、パッド印刷のいずれかにより着色する請求項１，２，３，４又は５記載のスダレ地の製法。
【請求項７】
上記二色ひご（２）又は複色ひご（20）が乾燥してから上記織り糸（４）にて織る請求項１，２，３，４，５又は６記載のスダレ地の製法。
【発明の詳細な説明】
【技術分野】
【０００１】
本発明は、スダレ地の製法に関する。
【背景技術】
【０００２】
以前、本出願人は、ひごを用いたスダレ地の製法として、色が異なるひごを用いてスダレ地を作製することを提案した（例えば、特許文献１参照）。
【０００３】
しかし、各ひごは一色に着色されており、近視的にはまだらに配設することは可能であるが、巨視的に見ると全体が一色に見えるという欠点があった。すなわち、離れて見てもはっきり見えるような模様を形成することができなかった。
【０００４】
また、あらかじめ単色のひごを織り糸にて織った後、スプレーにて模様を描いたものがあった。しかし、模様の輪郭（色の境界線）がぼやけるという欠点があった。
【先行技術文献】
【特許文献】
【０００５】
【特許文献１】特開２００５−１１０７３６号公報
【発明の概要】
【発明が解決しようとする課題】
【０００６】
解決しようとする課題は、巨視的に見ると全体が一色に見える点である。また、模様の輪郭がぼやける点である。
【課題を解決するための手段】
【０００７】
そこで、本発明に係るスダレ地の製法は、ひごの長手方向全体を一色に着色して、一色ひごを作製し、その後、上記一色ひごの長手方向に沿って間欠的に他色を重ねて着色して二色ひごを作製し、複数本の該二色ひごを織り糸にて織る方法である。
また、ひごの長手方向全体を一色に着色して、一色ひごを作製し、その後、上記一色ひごの上から重ねてその長手方向に沿って間欠的に複数色を着色して複色ひごを作製し、複数本の該複色ひごを織り糸にて織る方法である。
【０００８】
また、上記二色ひご又は複色ひごを上記織り糸にて織って、市松模様、長方形、矢絣等の模様を形成する方法である。
また、上記ひごを一色に着色する際、油性塗料、水性塗料又は染料にて着色する方法である。
また、上記一色ひごを他色又は複数色に着色する際、油性塗料、水性塗料又は染料にて着色する方法である。
【０００９】
また、上記一色ひごの長手方向に間欠的に他色又は複数色を重ねて着色する際、スプレー、インクジェット、パッド印刷のいずれかにより着色する方法である。
また、上記二色ひご又は複色ひごが乾燥してから上記織り糸にて織る方法である。
【発明の効果】
【００１０】
本発明のスダレ地の製法によれば、離れて見てもはっきり見えるような模様を形成することができる。特に、模様の輪郭を美しく形成することができる。
【図面の簡単な説明】
【００１１】
【図１】本発明の第１の実施の形態を示す正面図である。
【図２】着色前のひごを示す正面図である。
【図３】全体を一色に着色した状態のひごを示す正面図である。
【図４】ひごの長手方向に間欠的に他色を重ねて着色した状態を示す正面図である。
【図５】スダレ地の要部拡大断面側面図である。
【図６】第２の実施の形態を示す正面図である。
【図７】第３の実施の形態を示す正面図である。
【図８】第４の実施の形態を示す正面図である。
【図９】ひごの着色方法を順次説明する図である。
【図１０】ひごの着色方法を順次説明する図である。
【図１１】第５の実施の形態を示す正面図である。
【図１２】第６の実施の形態を示す正面図である。
【発明を実施するための形態】
【００１２】
図１は、本発明の第１の実施の形態のスダレ地の製法によって製作されたスダレ地Ｓを示す。このスダレ地Ｓは、例えば、吊り下げるスダレ、屏風、ついたて等として使用することができる。スダレ地Ｓは、複数のひご３を織り糸４にて織って形成されている。本発明の図面に於て、右上がりの斜線部分は黒色に着色された部分を示す。また、点々部分は金色に着色された部分を示す。さらに、図８〜図12の図面に於て、右下がりの斜線部分は、銀色に着色された部分を示す。
【００１３】
第１の実施の形態のスダレ地の製法について説明する。まず、図２に示すひご３の長手方向全体を一色Ａに着色して、図３に示す一色ひご１を作製する。（即ち、本発明に於て、１本のひごの長手方向全体にわたって一色Ａに着色したものを「一色ひご」と呼ぶ。）ひご３を一色Ａに着色する際、油性塗料、水性塗料又は染料にて着色する。ひご３単体に着色しても良いし、複数本のばらのひご３を同時に着色しても良い。例えば、複数本のばらのひご３を容器に入れた染料に浸漬して着色する。
【００１４】
その後、一色ひご１の長手方向に沿って間欠的に他色Ｂを重ねて着色して図４に示す二色ひご２を作製する。一色ひご１を他色Ｂに着色する際、油性塗料、水性塗料又は染料にて着色する。一色ひご１の長手方向に間欠的に他色Ｂを重ねて着色する際、スプレー、インクジェット、パッド印刷のいずれかにより着色する。
【００１５】
図１及び図５に示すように、二色ひご２を織り糸４にて織って、模様Ｍを形成する。具体的には、市松模様を形成する。二色ひご２が乾燥してから織り糸４にて織る。このとき、図１に示した市松模様等では、色の変化境界線Ｘに対応して、織り糸４を配置させるのが美感上から望ましい。（また、織り糸４としては、それ以外の部位にも追加しても自由である。）
【００１６】
図６は、第２の実施の形態のスダレ地の製法によって製作されたスダレ地Ｓを示す。すなわち、第２の実施の形態のスダレ地の製法では、二色ひご２を織り糸４にて織って、長方形の模様Ｍを形成する。その他の構成は、第１の実施の形態と同様である。
【００１７】
図７は、第３の実施の形態のスダレ地の製法によって製作されたスダレ地Ｓを示す。すなわち、第３の実施の形態のスダレ地の製法では、二色ひご２を織り糸４にて織って、矢絣の模様Ｍを形成する。その他の構成は、第１の実施の形態と同様である。
【００１８】
図８は、第４の実施の形態のスダレ地の製法によって製作されたスダレ地Ｓを示す。すなわち、第４の実施の形態のスダレ地の製法では、まず、図９（Ａ）に示すように、ひご３の長手方向全体を一色Ａに着色して、一色ひご１を作製する。その後、図９（Ｂ）に示すように、一色ひご１の上から重ねてその長手方向に沿って間欠的に複数色の一色Ｚ１を着色する。その後、図９（Ｃ）に示すように、その長手方向に沿って間欠的に複数色の他色Ｚ２を着色する。すなわち、一色ひご１の上から重ねてその長手方向に沿って間欠的に複数色Ｚ（複数色の一色Ｚ１及び複数色の他色Ｚ２）を着色して複色ひご20を作製する。その後、複数本の複色ひご20を織り糸４にて織る。
【００１９】
なお、図10に示すように、複数色Ｚ（複数色の一色Ｚ１及び複数色の他色Ｚ２）を同時に着色するも良い。すなわち、まず、図10（Ａ）に示すように、ひご３の長手方向全体を一色Ａに着色して、一色ひご１を作製する。その後、図10（Ｂ）に示すように、一色ひご１の上から重ねてその長手方向に沿って間欠的に複数色の一色Ｚ１及び複数色の他色Ｚ２を同時に着色して複色ひご20を作製するも良い。
【００２０】
図11は、第５の実施の形態のスダレ地の製法によって製作されたスダレ地Ｓを示す。すなわち、第５の実施の形態のスダレ地の製法では、複色ひご20を織り糸４にて織って、長方形の模様Ｍを形成する。その他の構成は、第４の実施の形態と同様である。なお、織り糸４は、一色Ａと複数色Ｚとの境界線Ｙに沿って（対応させて）配置するのが望ましい（図示省略）。
【００２１】
図12は、第６の実施の形態のスダレ地の製法によって製作されたスダレ地Ｓを示す。すなわち、第６の実施の形態のスダレ地の製法では、複色ひご20を織り糸４にて織って、矢絣の模様Ｍを形成する。その他の構成は、第４の実施の形態と同様である。なお、織り糸４は、実際上、さらに多数本とするのが好ましい（図示省略）。
【００２２】
なお、本発明は、設計変更可能であって、例えば、ひご３を黒色と金色以外の色に着色するも良い。例えば、白と青に着色するも良い。また、複色ひご20としては、３色に限らず、それ以上とすることも自由である。また、模様Ｍも上述以外にも変化自在である。例えば、階段状のジグザグ模様を形成するも良い。
【００２３】
以上のように、本発明は、ひご３の全体を一色Ａに着色して、一色ひご１を作製し、その後、一色ひご１の長手方向に沿って間欠的に他色Ｂを重ねて着色して二色ひご２を作製し、二色ひご２を織り糸４にて織るので、離れて見てもはっきり見えるような模様Ｍを形成することができる。特に、模様Ｍの輪郭（一色Ａと他色Ｂとの境界線Ｘ）を美しく形成することができる。すなわち、一色Ａと他色Ｂの間に隙間ができたり、他色Ｂ（後から着色する色）の一部分のみが一色Ａ（初めに着色する色）と重なって色ムラに見えることを、防止することができる。また、変化のある模様Ｍを描くことができる。
【００２４】
また、ひご３の長手方向全体を一色Ａに着色して、一色ひご１を作製し、その後、一色ひご１の上から重ねてその長手方向に沿って間欠的に複数色Ｚを着色して複色ひご20を作製し、複数本の複色ひご20を織り糸４にて織るので、離れて見てもはっきり見えるような模様Ｍを形成することができる。特に、模様Ｍの輪郭（一色Ａと複数色Ｚとの境界線Ｙ）を美しく形成することができる。すなわち、一色Ａと複数色Ｚの間に隙間ができたり、複数色Ｚ（後から着色する色）の一部分のみが一色Ａ（初めに着色する色）と重なって色ムラに見えることを、防止することができる。また、一層変化のある模様Ｍを描くことができる。
【００２５】
また、二色ひご２又は複色ひご20を織り糸４にて織って、市松模様、長方形、矢絣等の模様Ｍを形成するので、変化のある模様Ｍを描くことができる。
また、ひご３を一色Ａに着色する際、油性塗料、水性塗料又は染料にて着色するので、容易に着色することができる。
一色ひご１を他色Ｂ又は複数色Ｚに着色する際、油性塗料、水性塗料又は染料にて着色するので、容易に着色することができる。
【００２６】
また、一色ひご１の長手方向に間欠的に他色Ｂ又は複数色Ｚを重ねて着色する際、スプレー、インクジェット、パッド印刷のいずれかにより着色するので、効率良くかつ美しく着色することができる。
二色ひご２又は複色ひご20が乾燥してから織り糸４にて織るので、二色ひご２又は複色ひご20に付着している塗料、染料等が織り糸４に付着しない。すなわち、織り糸４の色をひご３の色（一色Ａ、及び、他色Ｂ又は複数色Ｚ）とは無関係の色とすることができる。そして、例えば、織り糸４の色を生かして和風の美しさを表現することもできる。
【符号の説明】
【００２７】
１  一色ひご
２  二色ひご
３  ひご
４  織り糸
20  複色ひご
Ａ  一色
Ｂ  他色
Ｍ  模様
Ｚ  複数色
【図１】
2011254991.tif 000003
【図２】
2011254991.tif 000004
【図３】
2011254991.tif 000005
【図４】
2011254991.tif 000006
【図５】
2011254991.tif 000007
【図６】
2011254991.tif 000008
【図７】
2011254991.tif 000009
【図８】
2011254991.tif 000010
【図９】
2011254991.tif 000011
【図１０】
2011254991.tif 000012
【図１１】
2011254991.tif 000013
【図１２】
2011254991.tif 000014